(57)【要約】【課題】芯線が導電性繊維で構成された電線が電線接続部に圧着されたときの引っ張り強度を十分に確保できる圧着端子、前記圧着端子付き電線、及び、前記圧着端子付き電線を備えた医療機器用センサを提供することを課題とする。【解決手段】本発明は、電線を接続可能な電線接続部を備え、電気接続部は、基部と、基部の一端から延びる複数の第一カシメ片及び他端から延びる少なくとも一つの第二カシメ片と、を有し、第一カシメ片及び第二カシメ片はずれた位置に交互に配置され、各カシメ片がかしめられて芯線が接続されたときに、電線の被覆部材に最も近い位置に形成される第一カシメ片と第二カシメ片との間隔は、他の位置に形成される第一カシメ片と第二カシメ片との間隔より大きいことを特徴とする。【選択図】図６
2019009103.tif 000002
【特許請求の範囲】
【請求項１】
導電性繊維によって構成される芯線が絶縁部材で被覆された電線を接続可能な電線接続部を備え、
前記電線接続部は、
前記電線の該電線接続部との接続部位と同方向に延びる基部と、
前記基部における該基部の延びる第一方向と直交する第二方向の一端から延びる複数の第一カシメ片、及び、前記第二方向の他端から延びる少なくとも一つの第二カシメ片と、を有し、
これら複数の第一カシメ片及び第二カシメ片は、前記第一方向にずれた位置に交互に配置され、それぞれがかしめられて前記芯線を抱き込むことにより前記基部に該芯線を圧着させる部位であり、
前記第一カシメ片及び第二カシメ片がそれぞれかしめられて前記芯線が接続されたときに、前記第一方向における前記電線の被覆部材に最も近い位置に形成される第一カシメ片と第二カシメ片との第一方向の間隔である第一間隔は、前記第一方向の他の位置に形成される第一カシメ片と第二カシメ片との第一方向の間隔である第二間隔より大きい、圧着端子。
【請求項２】
前記第一間隔は、かしめに起因して縁部が膨らんだ状態の前記第一カシメ片及び前記第二カシメ片が接触しない距離である、請求項１に記載の圧着端子。
【請求項３】
前記第一カシメ片における先端部と基端部との間の縁部、及び前記第二カシメ片における先端部と基端部との間の縁部のそれぞれは、前記第二方向と交差する方向に延びている、請求項１又は２に記載の圧着端子。
【請求項４】
請求項１〜３のいずれか１項に記載の圧着端子と、
前記圧着端子の前記電線接続部に接続され且つ導電性繊維によって芯線が構成される電線と、を備える、圧着端子付き電線。
【請求項５】
医療用センサ本体と、
前記医療用センサ本体から延びる出力用電線と、
請求項１〜３のいずれか１項に記載の圧着端子と、を備え、
前記出力用電線は、前記圧着端子の前記電線接続部に接続され、
前記出力用電線の芯線は、導電性繊維である、医療機器用センサ。
【発明の詳細な説明】
【技術分野】
【０００１】
本発明は、芯線が導電性繊維で構成される電線に接続される圧着端子、前記圧着端子付き電線、及び前記圧着端子付き電線を備えた医療機器用センサに関する。
【背景技術】
【０００２】
従来から、電線の被接続部位を圧着させるための複数のカシメ片をずれた位置に交互に配置した圧着端子が知られている（特許文献１参照）。具体的に、この圧着端子は、図１３に示すように、相手側端子等が接続される端子接続部１０１と、端子接続部１０１と連接し且つ電線が接続（圧着）される電線接続部１０２と、を備える。
【０００３】
電線接続部１０２は、配置される芯線と同方向（第一方向）に延びる底板１０２１と、底板１０２１における第一方向と直交する第二方向の一方の側縁から延びる複数の一方側カシメ片１０２２、及び底板１０２１における第二方向の他方の側縁から延びる複数の他方側カシメ片１０２３と、を有する。これら一方側カシメ片１０２２及び他方側カシメ片１０２３は、第一方向にずれた位置に交互に配置されている。
【０００４】
この圧着端子１００では、電線の先端部で露出させた芯線が底板１０２１上に配置され、一方側カシメ片１０２２と他方側カシメ片１０２３とがかしめられることで、一方側カシメ片１０２２と他方側カシメ片１０２３とが芯線を抱き込むことにより、芯線が底板１０２１に圧着される（図１４参照）。これにより、電線が圧着端子に接続される。
【０００５】
以上の圧着端子１００の電線接続部１０２では、図１５に示すような第一方向の同じ位置に配置されるカシメ片１０２２Ａ、１０２３Ａの対が第一方向に間隔をあけて複数配置される電線接続部に比べ、芯線とカシメ片との接触面積が増えるため、かしめの際の圧力を抑えても、電線接続部１０２において電線を保持する力、換言すると、圧着された電線を引き抜き方向に引っ張ったときの電線接続部１０２からの電線の抜け難さ（即ち、引っ張り強度）を十分に確保することができる。
【０００６】
このため、アルミ線のような柔らかい金属を芯線とした電線、即ち、かしめの際の圧力を大きくすると断線し易い電線に対しても、圧着端子１００を用いることができる。
【先行技術文献】
【特許文献】
【０００７】
【特許文献１】特開２０１０−７３３４６号公報
【発明の概要】
【発明が解決しようとする課題】
【０００８】
近年、圧着端子が接続される電線として、用途による制約から、芯線が金属ではなく、カーボン繊維等の導電性繊維によって構成されるものを用いなければならない場合がある。
【０００９】
このような電線を圧着端子に接続する際には、加圧時に導電性繊維内に内部応力が生じ難いため、接続部位での保持力を確保するためには、加圧時に内部応力が生じ易い金属製の芯線を有する電線を接続する場合に比べ、かしめの際の圧力を大きくしなければならない。しかも、このような電線では、非常に細い（例えば、数μ程度）導電性繊維が用いられている。このため、上記の圧着端子１００を用いても、各カシメ片１０２２、１０２３をかしめる際に導電性繊維が断線し易く、これにより、電線に接続された圧着端子１００において、十分な引っ張り強度を確保することができなかった。
【００１０】
そこで、本発明は、芯線が導電性繊維で構成された電線が電線接続部に圧着されたときの引っ張り強度を十分に確保できる圧着端子、前記圧着端子付き電線、及び、前記圧着端子付き電線を備えた医療機器用センサを提供することを課題とする。
【課題を解決するための手段】
【００１１】
本発明の発明者らは、鋭意研究を行った結果、かしめたときに、一端側カシメ片と他端側カシメ片との間隔（図１４における符号１０５）が狭いと、この一端側カシメ片と他端側カシメ片との間で（境界位置において）導電性繊維の断線が生じ易いことを発見した。また、かしめたときに、第一方向における電線の被覆部材（シース等）に最も近い位置に形成される一端側カシメ片と他端側カシメ片との間での断線を防ぐことによって、他の位置の一端側カシメ片と他端側カシメ片との間で断線が生じていても、十分な引っ張り強度を確保できることも発見した。そこで、発明者らは、これらの知見に着目することによって、以下の構成の圧着端子等を創作し、これにより、上記課題を解消した。
【００１２】
本発明に係る圧着端子は、導電性繊維によって構成される芯線が絶縁部材で被覆された電線を接続可能な電線接続部を備え、前記電線接続部は、前記電線の該電線接続部との接続部位と同方向に延びる基部と、前記基部における該基部の延びる第一方向と直交する第二方向の一端から延びる複数の第一カシメ片、及び、前記第二方向の他端から延びる少なくとも一つの第二カシメ片と、を有し、これら複数の第一カシメ片及び第二カシメ片は、前記第一方向にずれた位置に交互に配置され、それぞれがかしめられて前記芯線を抱き込むことにより前記基部に該芯線を圧着させる部位であり、前記第一カシメ片及び第二カシメ片がそれぞれかしめられて前記芯線が接続されたときに、前記第一方向における前記電線の被覆部材に最も近い位置に形成される第一カシメ片と第二カシメ片との第一方向の間隔である第一間隔は、前記第一方向の他の位置に形成される第一カシメ片と第二カシメ片との第一方向の間隔である第二間隔より大きい。
【００１３】
かかる構成によれば、各カシメ片（第一カシメ片及び第二カシメ片）がかしめられることで、芯線が導電性繊維によって構成される電線が該圧着端子（電線接続部）に接続されたときに、第一方向における電線の被覆部材に最も近い位置に形成される第一カシメ片と第二カシメ片との間隔（第一間隔）が大きくなるため、該位置での導電性繊維の断線が抑えられ、これにより、十分な引っ張り強度を確保することができる。
【００１４】
また、本発明者らは、電線を圧着させるために各カシメ片をかしめたときに、各カシメ片の縁部が膨らむ（図７参照）ことを発見した。そして、この縁部が膨らんだ状態の第一カシメ片と第二カシメ片とが接触する場合にも、第一カシメ片と第二カシメ片との間での導電性繊維の断線が生じ易いことを見出した。
【００１５】
このため、前記第一間隔は、かしめに起因して縁部が膨らんだ状態の前記第一カシメ片及び前記第二カシメ片が接触しない間隔であることが好ましい。
【００１６】
かかる構成によれば、第一方向における電線の被覆部材に最も近い位置に形成される第一カシメ片と第二カシメ片との間での導電性繊維の断線がより確実に抑えられ、これにより、十分な引っ張り強度をより確実に確保することができる。
【００１７】
また、前記圧着端子では、前記第一カシメ片における先端部と基端部との間の縁部、及び前記第二カシメ片における先端部と基端部との間の縁部のそれぞれは、第二方向と交差する方向に延びていてもよい。
【００１８】
かかる構成によれば、各カシメ片における先端部と基端部との間の縁部が、各導電性繊維に対し、斜めに横切るように接するため、直交するように（第二方向に）接する場合に比べ、導電性繊維との接触面積が増え、これにより、該縁部での導電性繊維の断線をより抑えることができる。
【００１９】
また、本発明に係る圧着端子付き電線は、上記のいずれかの圧着端子と、前記圧着端子の前記電線接続部に接続され且つ導電性繊維によって芯線が構成される電線と、を備える。
【００２０】
かかる構成の圧着端子付き電線では、圧着端子の電線接続部における電線の引っ張り強度が十分に確保されている。
【００２１】
また、本発明に係る医療機器用センサは、医療用センサ本体と、前記医療用センサ本体から延びる出力用電線と、上記のいずれかの圧着端子と、を備え、前記出力用電線は、前記圧着端子の前記電線接続部に接続され、前記出力用電線の芯線は、導電性繊維である。
【００２２】
かかる構成の医療機器用センサでは、圧着端子の電線接続部における電線の引っ張り強度が十分に確保されている。
【発明の効果】
【００２３】
以上より、本発明によれば、芯線が導電性繊維で構成された電線が電線接続部に圧着されたときの引っ張り強度を十分に確保できる圧着端子、前記圧着端子付き電線、及び、前記圧着端子付き電線を備えた医療機器用センサを提供することができる。
【図面の簡単な説明】
【００２４】
【図１】図１は、本実施形態に係るコネクタ端子の斜視図である。
【図２】図２は、前記コネクタ端子を中心軸方向の前方側から見た模式図である。
【図３】図３は、図１のＩＩＩ−ＩＩＩ位置における断面図である。
【図４】図４は、前記コネクタ端子の展開図である。
【図５】図５は、前記コネクタ端子の展開図における電線接続部の拡大図である。
【図６】図６は、電線が接続された状態の電線接続部を示す図である。
【図７】図７は、図６のＶＩＩ−ＶＩＩ位置における断面を示す図である。
【図８】図８は、相手側端子ピンが接続された状態を説明するための図である。
【図９】図９は、医療機器用センサを説明するための図である。
【図１０】図１０は、コネクタハウジングの斜視図である。
【図１１】図１１は、図１０のＸＩ−ＸＩ位置における断面図である。
【図１２】図１２は、相手側端子ピンが接続された状態のコネクタの断面図である。
【図１３】図１３は、従来のコネクタ端子の斜視図である。
【図１４】図１４は、前記コネクタ端子に電線が接続された状態を示す図である。
【図１５】図１５は、従来の他のコネクタ端子に電線が接続された状態を示す図である。
【発明を実施するための形態】
【００２５】
以下、本発明に係る圧着端子の一実施形態について、図１〜図９を参照しつつ説明する。本実施形態の圧着端子は、コネクタ端子である。より詳しくは、圧着端子は、雄型のコネクタ端子のピン（相手側端子ピン）が接続（嵌合）される雌型のコネクタ端子である。このコネクタ端子には、芯線が導電性繊維によって構成される電線が接続される。
【００２６】
コネクタ端子１は、図１〜図４に示すように、電線を接続可能な電線接続部２を備える。また、このコネクタ端子１は、電線接続部２と導通し且つ相手側端子ピンＰ（図８参照）が取り外し可能に接続される電気接続部３を備える。本実施形態のコネクタ端子１は、導電性を有する金属製の平板を所定の形状に打ち抜いたもの（図４参照）を、中心線Ｃ１と平行な軸を中心軸Ｃとして筒状に曲げ加工等することによって形成されている。このコネクタ端子１は、リン青銅によって形成されているが、真鍮、洋白、メッキ処理されたＳＵＳ等によって形成されていてもよい。以下では、中心軸Ｃ方向において、電気接続部３側（図３における左側）を前方側とし、電線接続部２側（図３における右側）を後方側とする。
【００２７】
電線接続部２は、板状の電線接続部本体２１と、電線接続部本体２１から延びる複数の導体カシメ片２２と、電線接続部本体２１における導体カシメ片２２より後方側の部位から延びる少なくとも一対の被覆部カシメ片２３と、を有する。これら導体カシメ片２２と被覆部カシメ片２３とは、前記曲げ加工等が行われる前の状態のコネクタ端子１（図４に示す状態：以下、「平板状のコネクタ端子１」と称する。）において、電線接続部本体２１の幅方向（中心線Ｃ１と直交する方向）の両端から該幅方向の外側に向けて延びている部位である。
【００２８】
電線接続部本体２１は、中心軸Ｃ方向に延び且つ断面（中心軸Ｃと直交する断面）がＵ字状の部位である。
【００２９】
複数の導体カシメ片２２は、かしめられて電線の先端で露出する芯線（導体）を抱き込むことにより、この芯線を電線接続部本体２１に圧着させる。複数の導体カシメ片２２は、図５に示すように、平板状のコネクタ端子１の電線接続部２（以下、単に「平板状の電線接続部２」と称する。）において、電線接続部本体２１の幅方向の一方端（図５における左端）から延びる複数の第一カシメ片２２１と、幅方向の他端（図５における右端）から延びる少なくとも一つの第二カシメ片２２２とによって構成される。これら第一カシメ片２２１と第二カシメ片２２２とは、中心線Ｃ１方向にずれた位置から交互に延びている（即ち、互い違いに配置されている）。本実施形態の電線接続部２は、二つの第一カシメ片２２１と、二つの第二カシメ片２２２とを有する。
【００３０】
二つの第一カシメ片２２１のうち、一方（前方側）の第一カシメ片２２１Ａは、山型である。具体的に、一方の第一カシメ片２２１Ａでは、平板状の電線接続部２において、前方側の縁部２２１４Ａが電線接続部本体２１の幅方向（中心線Ｃ１と直交する方向）の一方端から該幅方向に延び、後方側の縁部２２１５Ａが電線接続部本体２１の幅方向の一方端から該幅方向と交差する方向、詳しくは、前方側に向かうに連れて中心線Ｃ１から離れる方向に延びている。即ち、平板状の電線接続部２では、一方の第一カシメ片２２１Ａの前方側では、先端２２１１Ａと基端２２１２Ａとの間の縁部２２１４Ａは、幅方向に延び、一方の第一カシメ片２２１Ａの後方側では、先端（先端部）２２１１Ａと基端（基端部）２２１３Ａとの間の縁部２２１５Ａは、幅方向と交差する方向に延びている。
【００３１】
二つの第一カシメ片２２１のうち、他方（後方側）の第一カシメ片２２１Ｂも、山型である。具体的に、他方の第一カシメ片２２１Ｂでは、平板状の電線接続部２において、前方側の縁部２２１４Ｂが電線接続部本体２１の幅方向の一方端から該幅方向と交差する方向、詳しくは、後方側に向かうに連れて中心線Ｃ１から離れる方向に延び、後方側の縁部２２１５Ｂが電線接続部本体２１の幅方向の一方端から該幅方向と交差する方向、詳しくは、前方側に向かうに連れて中心線Ｃ１から離れる方向に延びている。即ち、平板状の電線接続部２では、他方の第一カシメ片２２１Ｂの前方側では、先端（先端部）２２１１Ｂと基端（基端部）２２１２Ｂとの間の縁部２２１４Ｂは、幅方向と交差する方向に延び、他方の第一カシメ片２２１Ｂの他方側では、先端（先端部）２２１１Ｂと基端（基端部）２２１３Ｂとの間の縁部２２１５Ｂは、幅方向と交差する方向に延びている。
【００３２】
一方の第一カシメ片２２１Ａの後方側の基端２２１３Ａと、他方の第一カシメ片２２１Ｂの前方側の基端２２１２Ｂとは、中心線Ｃ１方向において一致している。
【００３３】
二つの第二カシメ片２２２のうち、一方（前方側）の第二カシメ片２２２Ａは、山型である。具体的に、一方の第二カシメ片２２２Ａでは、平板状の電線接続部２において、前方側の縁部２２２４Ａが電線接続部本体２１の幅方向の他方端から該幅方向と交差する方向、詳しくは、後方側に向かうに連れて中心線Ｃ１から離れる方向に延び、後方側の縁部２２２５Ａが電線接続部本体２１の幅方向の他方端から該幅方向と交差する方向、詳しくは、前方側に向かうに連れて中心線Ｃ１から離れる方向に延びている。即ち、平板状の電線接続部２では、一方の第二カシメ片２２２Ａの前方側では、先端（先端部）２２２１Ａと基端（基端部）２２２２Ａとの間の縁部２２２４Ａは、幅方向と交差する方向に延び、一方の第二カシメ片２２２Ａの後方側では、先端（先端部）２２２１Ａと基端（基端部）２２２３Ａとの間の縁部２２２５Ａは、幅方向と交差する方向に延びている。
【００３４】
二つの第二カシメ片２２２のうち、他方（後方側）の第二カシメ片２２２Ｂも、山型である。具体的に、他方の第二カシメ片２２２Ｂでは、平板状の電線接続部２において、前方側の縁部２２２４Ｂが電線接続部本体２１の幅方向の他方端から該幅方向と交差する方向、詳しくは、後方側に向かうに連れて中心線Ｃ１から離れる方向に延び、後方側の縁部２２２５Ｂが電線接続部本体２１の幅方向の他方端から該幅方向に延びている。即ち、平板状の電線接続部２では、他方の第二カシメ片２２２Ｂの前方側では、先端（先端部）２２２１Ｂと基端（基端部）２２２２Ｂとの間の縁部２２２４Ｂは、幅方向と交差する方向に延び、他方の第二カシメ片２２２Ｂの後方側では、先端２２２１Ｂと基端２２２３Ｂとの間の縁部２２２５Ｂは、幅方向に延びている。
【００３５】
一方の第二カシメ片２２２Ａの後方側の基端２２２３Ａと、他方の第二カシメ片２２２Ｂの前方側の基端２２２２Ｂとは、中心線Ｃ１方向において一致する。
【００３６】
平板状の電線接続部２の各カシメ片２２１Ａ、２２１Ｂ、２２２Ａ、２２２Ｂにおいて、他方の第二カシメ片２２２Ｂにおける電線接続部本体２１からの高さ寸法（前記幅方向の寸法）は、他のカシメ片２２１Ａ、２２１Ｂ、２２２Ａの高さ寸法より小さい。尚、他のカシメ片２２１Ａ、２２１Ｂ、２２２Ａの高さ寸法は、同じである。
【００３７】
また、平板状の電線接続部２において、二つの第一カシメ片２２１Ａ、２２１Ｂの境界（一方の第一カシメ片２２１Ａの基端２２１３Ａと他方の第一カシメ片２２１Ｂの基端２２１２Ｂとが一致している位置）と、一方の第二カシメ片２２２Ａの先端２２２１Ａとは、中心線Ｃ１方向において同じ位置である。一方、他方の第一カシメ片２２１Ｂの先端２２１１Ｂと、二つの第二カシメ片２２２Ａ、２２２Ｂの境界（一方の第二カシメ片２２２Ａの基端２２２３Ａと他方の第二カシメ片２２２Ｂの基端２２２２Ｂとが一致している位置）とは、中心線Ｃ１方向において異なる位置である。詳しくは、第一カシメ片２２１Ｂの先端２２１１Ｂの方が、二つの第二カシメ片２２２Ａ、２２２Ｂの境界より前方側にずれている。
【００３８】
以上のように構成される各カシメ片２２１Ａ、２２１Ｂ、２２２Ａ、２２２Ｂを、図６に示すように、電線９の芯線９０を抱き込むようにかしめると、中心軸Ｃ方向において、最も後方側（電線９の絶縁被覆部材９１に近い位置）に形成される第一カシメ片２２１Ｂと第二カシメ片２２２Ｂとの間隔、詳しくは、中心軸Ｃ方向の間隔（第一間隔α）が、他の位置に形成される第一カシメ片２２１Ａ、２２１Ｂと第二カシメ片２２２Ａとの間隔（中心軸Ｃ方向の間隔：第二間隔β）より大きくなる。本実施形態のコネクタ端子１では、他方の第一カシメ片２２１Ｂと他方の第二カシメ片２２２Ｂとの間隔（第一間隔α）が、他方の第一カシメ片２２１Ｂと一方の第二カシメ片２２２Ａとの間隔（第二間隔β）、及び一方の第一カシメ片２２１Ａと一方の第二カシメ片２２２Ａとの間隔（第二間隔β）より大きい。
【００３９】
尚、第一間隔αは、かしめに起因して縁部が膨らんだ状態の第一カシメ片２２１Ｂ及び第二カシメ片２２２Ｂが接触しない距離である。詳しくは、以下の通りである。
【００４０】
各カシメ片２２１Ａ、２２１Ｂ、２２２Ａ、２２２Ｂがかしめられたときに、図７に示す断面のように、各カシメ片２２１Ａ、２２１Ｂ、２２２Ａ、２２２Ｂの縁部が初期状態（かしめられる前の状態：図７の部分拡大図における破線参照）に比べて膨らむ。また、かしめるときの芯線９０や電線９の状態等によって各カシメ片２２１Ａ、２２１Ｂ、２２２Ａ、２２２Ｂがかしめ後に予定されていた位置から中心軸Ｃ方向等に若干ずれる場合がある。第一間隔αは、これらの膨らみやずれ等が生じても、他方の第一カシメ片２２１Ｂと他方の第二カシメ片２２２Ｂとが接触しないような間隔に設定されている。このように、他方の第一カシメ片２２１Ｂと他方の第二カシメ片２２２Ｂとは、かしめられたときに第一間隔αが生じるような形状を有している。本実施形態の第一間隔αは、後方側に向かうに連れて大きくなっている（図６参照）。
【００４１】
図１〜図６に戻り、少なくとも一対の被覆部カシメ片２３は、電線９における露出した芯線９０近傍の絶縁被覆されている部位を電線接続部本体２１との間に挟み込むようにかしめられる部位である。本実施形態の電線接続部２は、一対の被覆部カシメ片２３を有する。一対の被覆部カシメ片２３のそれぞれは、平板状の電線接続部２において、中心線Ｃ１方向において導体カシメ片２２の後方側に隣接する位置から前記幅方向の外側に向けて延びている。前記幅方向の一方側の被覆部カシメ片２３と他方側の被覆部カシメ片２３とは、中心線Ｃ１方向において同じ位置から延びている。
【００４２】
これら電線接続部本体２１、導体カシメ片２２、及び被覆部カシメ片２３が形成されている平板状のコネクタ端子１において、電線接続部本体２１が湾曲するように曲げ加工することによって、電線接続部２が形成されている（図１参照）。
【００４３】
電気接続部３は、電線接続部本体２１と連接する電気接続部本体３１と、中心軸Ｃ周りに間隔をあけて並ぶ三つ以上（本実施形態の例では三つ）の弾性接触片３２と、を有する。電気接続部３は、三つ以上の弾性接触片３２に囲まれた領域Ａ（図２参照）に相手側端子ピンが挿入されることで、該相手側端子ピンＰ（図８参照）と導通可能に接続される（嵌合する）。
【００４４】
電気接続部本体３１は、中心軸Ｃを囲む筒部３１１と、筒部３１１の後端から中心軸Ｃに向けて延びる規制片３１２と、を有する。また、電気接続部本体３１は、筒部３１１から外側に延び且つコネクタ端子１がコネクタハウジングに収容された場合に該コネクタハウジングと係合可能な端子側係合部３１３と、を有する。
【００４５】
筒部３１１は、相手側端子ピンＰとコネクタ端子１とが嵌合したときに相手側端子ピンＰの先端部が内側（該筒部３１１に囲まれた領域）に位置する部位である（図８参照）。この筒部３１１は、平板状のコネクタ端子１において中心線Ｃ１と直交する方向に長い矩形板状の部位であり、この部位を、中心軸Ｃを中心にして且つ長手方向の端部同士を対向させるように全体を湾曲させて筒状とすることにより形成されている。
【００４６】
規制片３１２は、相手側端子ピンＰとコネクタ端子１とを嵌合させるときに、相手側端子ピンＰの先端のそれ以上奥への（コネクタ端子１の後方側への）移動を防ぐ。即ち、規制片３１２は、中心軸Ｃに沿って移動する相手側端子ピンＰが筒部３１１内に侵入してきたときに、この相手側端子ピンＰの先端が当該規制片３１２に当接することで、該先端のそれ以上奥への移動を防ぐ。
【００４７】
この規制片３１２は、図４に示す平板状の筒部３１１において後方側の端縁から中心線Ｃ１方向に延びる部位３１２を筒部３１１が筒状になった状態で中心軸Ｃに向けて折り曲げることによって形成されている。本実施形態の電気接続部３では、複数の規制片３１２が、筒部３１１の周方向に間隔をあけて配置されている。
【００４８】
端子側係合部３１３は、コネクタ端子１をコネクタハウジング５（図１０参照）に収容させる場合に該コネクタハウジング５と係合する部位である。端子側係合部３１３は、筒部３１１から突出し、後方側に向かうに連れて中心軸Ｃから離れるように中心軸Ｃに対して傾斜している。
【００４９】
三つの弾性接触片３２のそれぞれは、中心軸Ｃに沿って延び、これら三つの弾性接触片３２に囲まれた領域Ａに相手側端子ピンＰが中心軸Ｃに沿って挿入されることで該相手側端子ピンＰに押圧され、これにより、弾性変形する。三つの弾性接触片３２は、中心軸Ｃを中心とする円周上において間隔あけて並んでいる。各弾性接触片３２の具体的な構成は、以下の通りである。
【００５０】
各弾性接触片３２は、電気接続部本体３１から前方側に延びる弾性変形可能な板状の部位であり、主面（厚さ方向と直交する面）３２Ａを中心軸Ｃに向けた状態で中心軸Ｃ周りに等間隔で並んでいる。この弾性接触片３２は、中心軸Ｃ方向に間隔をあけた二つの屈曲部（第一屈曲部３２１、第二屈曲部３２２）を有する。以下では、弾性接触片３２における第一屈曲部３２１より後方側の部位を基部３２３と称し、第一屈曲部３２１と第二屈曲部３２２との間の部位を接触部３２４と称し、第二屈曲部３２２より前方側の部位を先端部３２５と称する。
【００５１】
基部３２３は、接触部３２４から後方側に向かうに連れて中心軸Ｃから離れるように、中心軸Ｃに対して傾斜している（図３参照）。
【００５２】
接触部３２４は、相手側端子ピンＰが中心軸Ｃに沿って三つの弾性接触片３２に囲まれた領域Ａに相手側端子ピンＰが挿入されたときに、該相手側端子ピンＰと接触（導通）する部位である（図８参照）。この接触部３２４は、撓んでいる。詳しくは、接触部３２４は、中心軸Ｃに沿って延びると共に中心軸Ｃに向けて膨らむように湾曲する。この湾曲によって、中心軸Ｃを中心とし且つ各接触部３２４における最も中心軸Ｃに近づいている部位と接する内接円γ(図２参照)は、相手側端子ピンＰの外周よりも小さくなっている。このため、相手側端子ピンＰが弾性接触片３２に囲まれた領域Ａに挿入されると、各接触部３２４は中心軸Ｃから離れる方向に押し広げられる。
【００５３】
先端部３２５は、接触部３２４の先端（基部３２３と反対側の端部）から延びると共に、中心軸Ｃと直交する方向において接触部３２４より外側に位置する。具体的に、先端部３２５は、接触部３２４から前方側に向かうにつれて中心軸Ｃから離れるように、中心軸Ｃに対して傾斜している（図３参照）。
【００５４】
以上のように構成されるコネクタ端子１は、例えば、図６に示すように、カーボン繊維等の導電性繊維によって芯線９０が構成される電線９の先端に接続されて使用される。具体的に、電線９へのコネクタ端子１の接続は、以下のように行われる。尚、本実施形態の電線９では、直径が数μのカーボン繊維が束ねられることで芯線９０が形成されている。
【００５５】
電線９がコネクタ端子１の電線接続部２に接続される。具体的には、電線接続部２の電線接続部本体２１上に、芯線９０を露出させた電線９の端部が配置される。続いて、導体カシメ片２２（第一カシメ片２２１、第二カシメ片２２２）が、芯線９０を抱き込むようにかしめられ、該芯線９０が電線接続部本体２１に圧着される。このとき、他方の第二カシメ片２２２Ｂの後方側（図６の下側）の端部が圧着治具で加圧されないようにかしめを行い、該部位が完全に芯線９０側に寝ないように（少し起き上った状態に）している。また、被覆部カシメ片３３がかしめられ、電線接続部本体２１との間に電線９の絶縁被覆されている部位が挟み込まれる。このようにして、コネクタ端子１が電線に接続される。
【００５６】
尚、コネクタ端子１に接続される電線９の芯線９０は、カーボン繊維に限定されない。芯線９０は、金属フィラーを有した樹脂繊維、ポリエステル繊維やカーボン繊維等に金属メッキを施したメッキ繊維、ポリピロール類、ポリチオフェン類、ポリアセチレン類、ポリフェニレン類、ポリフェニレンビニレン類、ポリアニリン類、ポリアセン類、ポリチオフェンビニレン類、およびこれらのうちの二以上の共重合体からなる繊維等の導電性繊維であってもよい。即ち、本実施形態のコネクタ端子１によれば、カーボン繊維のようなかしめ時に内部応力が生じず且つ非常に細い導電性繊維を束ねることによって芯線９０が構成されていても、電線接続部２における電線９の十分な引っ張り強度を確保できるが、他の導電性繊維によって芯線９０が構成されていても、電線接続部２における十分な引っ張り強度を確保できる。また、コネクタ端子１は、金属製の芯線を有する電線にも接続可能である。
【００５７】
また、コネクタ端子１は、例えば、医療用センサ等に用いられてもよい。本実施形態の医療用センサは、例えば、図９に示すような心電図用電極１０である。この心電図用電極１０は、胸部等の皮膚に装着する電極本体１１と、電極本体１１から延びる出力用電線１２と、出力用電線１２の先端に接続されるコネクタ端子１と、を備える。尚、コネクタ端子１は、例えば、図１０に示すコネクタハウジング５等に収容された状態で使用されてもよい。
【００５８】
以上のコネクタ端子１によれば、図６に示すように、各導体カシメ片２２（第一カシメ片２２１及び第二カシメ片２２２）がかしめられることで、芯線９０が導電性繊維によって構成される電線９が該コネクタ端子１（電線接続部２）に接続されたときに、中心軸Ｃ方向における電線９の絶縁被覆部材９１に最も近い位置に形成される第一カシメ片２２１Ｂと第二カシメ片２２２Ｂとの間隔（第一間隔α）が大きくなる。このため、該位置での導電性繊維の断線が抑えられ、これにより、十分な引っ張り強度を確保することができる。詳しくは、以下の通りである。
【００５９】
電線９をコネクタ端子１に接続するために各導体カシメ片２２をかしめたときに、第一カシメ片２２１と第二カシメ片２２２との間隔が狭いと、かしめ時の第一カシメ片２２１及び第二カシメ片２２２の間への咬み込み等によって、この第一カシメ片２２１と第二カシメ片２２２との間で（境界位置において）導電性繊維の断線が生じ易い。また、かしめたときに、他方の第一カシメ片２２１Ｂと他方の第二カシメ片２２２Ｂとの間での導電性繊維の断線を防ぐことによって、他の位置の第一カシメ片２２１Ａ、２２１Ｂと第二カシメ片２２２Ａとの間で導電性繊維の断線が生じていても、十分な引っ張り強度が確保される。このため、第一間隔αを第二間隔βより広くして（具体的には、前記咬み込み等による断線が生じない程度の間隔にして）この位置での断線を抑えることで、十分な引っ張り強度を確保することができる。
【００６０】
尚、第二間隔βが形成されている位置で断線が生じても、第一カシメ片２１１Ａ、２１１Ｂと第二カシメ片２２２Ａとが強固にかしめられて芯線９０をしっかり抱き込むことで、電線９（芯線９０）とコネクタ端子１とが十分に導通する。
【００６１】
また、本実施形態のコネクタ端子１では、第一間隔（他方の第一カシメ片２２１Ｂと他方の第二カシメ片２２２Ｂとの間隔）αは、電線９が接続された状態（即ち、各カシメ片２２１Ａ、２２１Ｂ、２２２Ａ、２２２Ｂがかしめられた状態）において、かしめに起因して縁部が膨らんだ状態の他方の第一カシメ片２２１Ｂ及び他方の第二カシメ片２２２Ｂが接触しない間隔である。このため、中心軸Ｃ方向における電線９の絶縁被覆部材９１に最も近い位置に形成される第一カシメ片２２１Ｂと第二カシメ片２２２Ｂとの間（境界位置）での導電性繊維の断線がより確実に抑えられ、これにより、十分な引っ張り強度をより確実に確保することができる。
【００６２】
また、本実施形態のコネクタ端子１では、例えば、第一カシメ片２２１Ｂにおける先端２２１１Ｂと基端２２１２Ｂとの間の縁部、及び第二カシメ片２２２Ａにおける先端２２２１Ａと基端２２２２Ｂとの間の縁部のそれぞれが、電線接続部本体２１の幅方向と交差する方向に延びている。
【００６３】
かかる構成によれば、各カシメ片２２１Ｂ、２２２Ａがかしめられた状態で、各カシメ片２２１Ｂ、２２２Ａの前記縁部が、各導電性繊維（芯線９０を構成する導電性繊維）に対し、斜めに横切るように接する。これにより、導電性繊維と直交するように（電線接続部本体２１の幅方向に）接する場合に比べ、導電性繊維との接触面積が増え、その結果、該縁部での導電性繊維の断線がより抑えられる。
【００６４】
また、以上のコネクタ端子１が接続された電線９（コネクタ端子付き電線）では、芯線９０が導電性繊維で構成された電線９が電線接続部２に圧着されていても、コネクタ端子１の電線接続部２における電線９の引っ張り強度が十分に確保されている。
【００６５】
即ち、コネクタ端子１が医療機器用センサ１０に用いられる場合、該医療機器用センサ１０において、芯線が導電性繊維で構成された電線が出力用電線として用いられても、コネクタ端子１の電線接続部２における電線９の引っ張り強度が十分に確保される。
【００６６】
尚、本発明の圧着端子、圧着端子付き電線、及び医療機器用センサは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６７】
上記実施形態のコネクタ端子１では、導体カシメ片２２は、二つの第一カシメ片２２１と、二つの第二カシメ片２２２とによって構成されているが、この構成に限定されない。導体カシメ片２２は、二つ以上の第一カシメ片２２１と、少なくとも一つの第二カシメ片２２２とによって構成されていればよい。これら第一カシメ片２２１と第二カシメ片２２２とは、中心軸Ｃ方向にずれた状態で交互に配置される。
【００６８】
圧着端子の電気接続部３の具体的な構成は、限定されない。上記実施形態の圧着端子（コネクタ端子）１の電気接続部３は、三つ以上の弾性接触片３２によって相手側端子ピンＰを保持するが、この構成に限定されない。電気接続部３は、締結部材やはんだ付け等によって相手側端子に接続される構成であってもよい。
【００６９】
コネクタ端子１は、コネクタハウジングに収容されてコネクタを構成してもよい。このコネクタの構成は、例えば、以下の通りである。
【００７０】
コネクタハウジング５は、図１０〜図１２にも示すように、コネクタ端子１を収容する端子収容部６と、相手側端子ピンＰが挿入される端子挿入口７と、を有する。また、コネクタハウジング５は、コネクタ端子１が挿入される基端側開口８を有する。詳しくは、以下の通りである。尚、以下では、中心軸Ｃ方向において、端子挿入口７の側を前方側とし、基端側開口８の側を後方側とする。
【００７１】
コネクタハウジング５は、中心軸Ｃを有する筒状であり、絶縁性を有する樹脂によって形成されている。コネクタハウジング５は、内周面５０を有し、内周面５０は、コネクタ端子１が収容される空間（収容空間）Ｓを画定する。本実施形態の端子収容部６は、これら内周面５０と収容空間Ｓとを含む。また、端子挿入口７は、コネクタハウジング５の先端において、中心軸Ｃ方向に外部と収容空間Ｓを連通させる開口であり、基端側開口８は、コネクタハウジング５の後端において、中心軸Ｃ方向に外部と収容空間Ｓとを連通させる開口である。
【００７２】
本実施形態の内周面５０では、中心軸Ｃ方向の各位置における断面（中心軸Ｃと直交する面方向の断面）は円形又は略円形である。この内周面５０は、径の異なる複数の部位を有する。具体的には、前方側から後方側に向かって順に、径の最も小さな第一部位５１と、第一部位５１より径の大きな第二部位５２と、第二部位５２より径の大きな（最も径の大きな）第三部位５３と、を有する。第一部位５１と第二部位５２とは、前方側に向かうに連れて縮径する第一縮径部５４によって接続されている。また、第二部位５２と第三部位５３とは、先端側に向かうに連れて縮径する第二縮径部５５によって接続されている。これら内周面５０を構成する各部位５１〜５５の中心軸は、一致している。
【００７３】
第一部位５１、第一縮径部５４、及び第二部位５２は、内周面５０において電気接続部３の周囲を囲う部位である。第二部位５２は、電気接続部３（詳しくは、電気接続部本体３１）の端子側係合部３１３と対応する位置に該端子側係合部３１３と係合するハウジング側係合部５２１を有する。本実施形態のハウジング側係合部５２１は、中心軸Ｃ方向において部分的に設けられた径の小さな部位（中心軸Ｃ側に盛り上がった部位）であり、中心軸Ｃ方向において第二縮径部５５と隣接（連続）した位置に設けられている。また、第一部位５１と第一縮径部５４との境界部５６は、弾性接触片３２の基部３２３と該基部３２３の外側（詳しくは、内周面５０の径方向の外側）から当接する。即ち、境界部５６は、基部３２３を外側から支持する。
【００７４】
第三部位５３の基端部は、コネクタハウジング５の基端部に形成されている基端側開口８を画定する。コネクタハウジング５の収容空間Ｓと外部空間とは、基端側開口８を通じて連通している。
【００７５】
また、コネクタハウジング５は、第一部位５１における中心軸Ｃ方向の所定位置から中心軸Ｃに向けて突出する突出部７０を有する。本実施形態の突出部７０は、コネクタハウジング５の先端において端子挿入口７を画定する壁部（先端壁部）である。即ち、突出部７０は、第一部位５１の先端側の端縁から中心軸Ｃ方向に突出する。この突出部７０は、コネクタハウジング５にコネクタ端子１が収容された状態で端子挿入口７から相手側端子ピンＰが挿入されたときに、相手側端子ピンＰに押圧された接触部３２４が湾曲した状態から弾性変形して直線状になったとき（真っ直ぐ伸びたとき）に先端部３２５が当接する位置に設けられている。詳しくは、以下の通りである。
【００７６】
相手側端子ピンＰが挿入される前の状態（初期状態）では、各弾性接触片３２の接触部３２４は、中心軸Ｃに向けて膨らむように湾曲している。この状態で、相手側端子ピンＰが端子挿入口７から中心軸Ｃ方向に挿入されると、内接円γ（図２参照）が相手側端子ピンＰの外周より小さいため、相手側端子ピンＰが後方側に向けて進むことで、各弾性接触片３２の接触部３２４が内周面５０の径方向外側に押し広げられる。即ち、各弾性接触片３２の接触部３２４には、相手側端子ピンＰからの内周面５０の径方向外側に向けた押圧力が加わる。
【００７７】
このとき、接触部３２４の後端は、コネクタハウジング５と係合している電気接続部本体３１から延び且つ境界部５６によって内周面５０の径方向外側から支持されている基部３２３に接続されているため移動が規制されている。このため、接触部３２４に前記押圧力が加わると、接触部３２４の先端が端子挿入口７側に移動し、これにより、接触部３２４が弾性変形して曲率が小さくなり、相手側端子ピンＰが十分に挿入されたときに、接触部３２４は相手側端子ピンＰに沿った直線状となる。
【００７８】
この接触部３２４が弾性変形によって伸びる際には、先端部３２５が第一部位５１によって内周面５０の径方向外側への移動が規制されているが、第一部位５１に沿った移動は可能であるため、該第一部位５１に接触した状態で先端側（端子挿入口７側）に移動する。即ち、先端部３２５は、第一部位５１に対して端子挿入口７側に摺動する（摺りつつ移動する）。そして、接触部３２４が弾性変形により相手側端子ピンＰに沿って真っ直ぐなったときに（図１２参照）、第一部位５１に対して端子挿入口７側に向けて摺動していた先端部３２５は、突出部７０に当接する。このように弾性変形して接触部３２４が真っ直ぐになった状態では、中心軸Ｃ方向における接触部３２４の全域が、相手側端子ピンＰに接触している。
【００７９】
これにより、コネクタ（コネクタ端子１を収容した状態のコネクタハウジング５）では、各弾性接触片３２の弾性復帰力（相手側端子ピンＰへ向けた押圧力）による保持力と、接触部３２４が中心軸Ｃ方向（挿入方向）の全域で相手側端子ピンＰと接触することによる摩擦力（相手側端子ピンＰが抜けようとしたときにこれに抗する力）と、によって、相手側端子ピンＰを保持する力が十分に確保される。しかも、弾性復帰力のみで相手側端子ピンＰを保持する力を確保する場合に比べて、弾性復帰力（相手側端子ピンＰへ向けた弾性接触片３２の押圧力）を小さくできるため、相手側端子ピンＰが挿入し易くなる。
【００８０】
即ち、弾性接触片の弾性復帰力のみによって相手側端子ピンを保持する力を確保する場合には相手側端子ピンが挿入し難くなるが、前記コネクタのように弾性復帰力に加えて摩擦力も利用して相手側端子ピンＰを保持する力を確保することで、相手側端子ピンＰの挿入し易さと、挿入後の相手側端子ピンＰに対する十分な保持力の確保との両方が実現できる。
【００８１】
上記実施形態の医療機器用センサは、心電図用電極であるが、この構成に限定されない。医療機器用センサは、例えば、血圧センサ、ＳｐＯ２（動脈血酸素飽和度）センサ、呼気センサ等であってもよい。
【００８２】
また、コネクタ端子１は、医療機器用センサに限定されず、種々の機器に用いられ且つ導電性繊維によって芯線が構成される電線に接続可能である。
【符号の説明】
【００８３】
１…コネクタ端子、２…電線接続部、２１…電線接続部本体、２２…導体カシメ片、２２１、２２１Ａ、２２１Ｂ…第一カシメ片、２２１１Ａ、２２１１Ｂ…第一カシメ片の先端、２２１２Ａ、２２１２Ｂ、２２１３Ａ、２２１３Ｂ…第一カシメ片の基端、２２１４Ａ、２２１４Ｂ、２２１５Ａ、２２１５Ｂ…第一カシメ片の縁部、２２２、２２２Ａ、２２２Ｂ…第二カシメ片、２２２１Ａ、２２２１Ｂ…第二カシメ片の先端、２２２２Ａ、２２２２Ｂ、２２２３Ａ、２２２３Ｂ…第二カシメ片の基端、２２２４Ａ、２２２４Ｂ、２２２５Ａ、２２２５Ｂ…第二カシメ片の縁部、２３…被覆部カシメ片、３…電気接続部、３１…電気接続部本体、３１１…筒部、３１２…規制片、３１３…端子側係合部、３２…弾性接触片、３２１…第一屈曲部、３２２…第二屈曲部、３２３…基部、３２４…接触部、３２５…先端部、３３…被覆部カシメ片、４…電気接続部、５…コネクタハウジング、５０…内周面、５１…第一部位、５２…第二部位、５２１…ハウジング側係合部、５３…第三部位、５４…第一縮径部、５５…第二縮径部、５６…境界部、６…端子収容部、７…端子挿入口、７０…突出部、８…基端側開口、９…電線、９０…芯線、９１…絶縁被覆部材、１０…心電図用電極（医療機器用センサ）、１１…電極本体、１２…出力用電線、１００…圧着端子、１０１…端子接続部、１０２…電線接続部、１０２１…底板、１０２２…一方側カシメ片、１０２３…他方側カシメ片、１０２２Ａ、１０２３Ａ…カシメ片、１０５…カシメ片の間隔、Ａ…弾性接触片に囲まれた領域、Ｃ…中心軸、Ｃ１…中心線、Ｐ…相手側端子ピン、Ｓ…収容空間、α…第一間隔、β…第二間隔、γ…内接円
【図１】
2019009103.tif 000003
【図２】
2019009103.tif 000004
【図３】
2019009103.tif 000005
【図４】
2019009103.tif 000006
【図５】
2019009103.tif 000007
【図６】
2019009103.tif 000008
【図７】
2019009103.tif 000009
【図８】
2019009103.tif 000010
【図９】
2019009103.tif 000011
【図１０】
2019009103.tif 000012
【図１１】
2019009103.tif 000013
【図１２】
2019009103.tif 000014
【図１３】
2019009103.tif 000015
【図１４】
2019009103.tif 000016
【図１５】
2019009103.tif 000017